(57)【要約】【課題】表示装置から取得した情報を利用するサービスを複数提供する場合における、ユーザの利便性を向上させる。【解決手段】第１のサービスを提供することによって表示装置（２０）から取得した情報を用いる第２のサービスを利用するための接続先情報と、表示装置を識別するための情報である表示装置ＩＤと、が含まれたコンテンツを作成するコンテンツ作成部（１２２）、を備えるサーバ１０。【選択図】図２
2016130974.tif 000002
【特許請求の範囲】
【請求項１】
第１のサービスを提供することによって表示装置から取得した情報を用いる第２のサービスを利用するための接続先情報と、当該表示装置を識別するための情報である表示装置識別情報と、が含まれたコンテンツを作成する作成部、
を備えることを特徴とするサーバ。
【請求項２】
上記作成部は、上記接続先情報と上記表示装置識別情報とをユーザにとって識別困難な画像として上記コンテンツに含めることを特徴とする請求項１に記載のサーバ。
【請求項３】
上記作成部は、上記接続先情報と上記表示装置識別情報とが埋め込まれた二次元バーコードを上記画像として上記コンテンツに含めることを特徴とする請求項２に記載のサーバ。
【請求項４】
上記表示装置識別情報を参照し、上記第２のサービスを利用するための表示装置識別情報である第２のサービス用表示装置識別情報を生成する第２のサービス用表示装置識別情報生成部をさらに備え、
上記作成部は、上記第２のサービス用表示装置識別情報生成部が生成した第２のサービス用表示装置識別情報と、上記接続先情報とが埋め込まれた二次元バーコードを上記画像として上記コンテンツに含めることを特徴とする請求項３に記載のサーバ。
【請求項５】
ユーザが上記第２のサービスを利用するか否かを示す第２のサービス利用情報を取得する第２のサービス利用情報取得部をさらに備え、
上記第２のサービス利用情報取得部が取得した第２のサービス利用情報が、ユーザは上記第２のサービスを利用しないことを示す場合、上記作成部は、上記コンテンツを作成しないことを特徴とする請求項１〜４の何れか１項に記載のサーバ。
【請求項６】
ユーザが上記第１のサービスを利用しているか否かを示す第１のサービス利用情報を取得する第１のサービス利用情報取得部をさらに備え、
上記第１のサービス利用情報取得部が取得した第１のサービス利用情報が、ユーザは第１のサービスを利用していないことを示す場合、上記作成部は、上記第１のサービスの利用を促す画面を生成することを特徴とする請求項１〜５の何れか１項に記載のサーバ。
【請求項７】
上記第１のサービスにおいて取得した情報を、上記第２のサービスにおいて利用することをユーザが許諾したか否かを示す許諾情報を取得する許諾情報取得部をさらに備え、
上記許諾情報取得部が取得した許諾情報が、ユーザが許諾したことを示す場合、上記作成部は、上記コンテンツを作成することを特徴とする請求項１〜６の何れか１項に記載のサーバ。
【請求項８】
第１のサービスを提供することによって表示装置から取得した情報を用いる第２のサービスを利用するための接続先情報と、当該表示装置を識別するための情報である表示装置識別情報と、が含まれたコンテンツを作成する作成工程、
を含むことを特徴とするコンテンツ作成方法。
【請求項９】
サーバとしてコンピュータを機能させるためのプログラムであって、上記コンピュータを、
第１のサービスを提供することによって表示装置から取得した情報を用いる第２のサービスを利用するための接続先情報と、当該表示装置を識別するための情報である表示装置識別情報と、が含まれたコンテンツを作成する作成部、
として機能させるためのプログラム。
【請求項１０】
表示装置およびサーバを備えるコンテンツ提供システムであって、
上記サーバは、
上記表示装置から、上記表示装置を識別するための情報である表示装置識別情報を取得する表示装置識別情報取得部と、
第１のサービスを提供することによって表示装置から取得した情報を用いる第２のサービスを利用するための接続先情報、および当該表示装置を識別するための情報である表示装置識別情報が含まれたコンテンツを作成する作成部と、
上記作成部が作成したコンテンツを上記表示装置に出力するコンテンツ出力部と、を備え、
上記表示装置は、
上記表示装置識別情報を出力する表示装置識別情報出力部と、
上記サーバから、上記コンテンツを取得するコンテンツ取得部と、
上記コンテンツ取得部が取得したコンテンツを表示部に表示する表示制御部と、
を備えることを特徴とするコンテンツ提供システム。
【請求項１１】
当該表示装置を識別するための情報である表示装置識別情報を出力する表示装置識別情報出力部と、
サーバが第１のサービスを提供することによって当該表示装置から取得した情報を用いる第２のサービスを利用するための接続先情報および上記表示装置識別情報が含まれたコンテンツを取得するコンテンツ取得部と、
上記コンテンツ取得部が取得したコンテンツを表示部に表示する表示制御部と、
を備えることを特徴とする表示装置。
【発明の詳細な説明】
【技術分野】
【０００１】
本発明は、コンテンツを作成するサーバ、当該コンテンツを作成するコンテンツ作成方法、上記サーバとしてコンピュータを機能させるプログラム、上記サーバおよび上記コンテンツを表示する表示装置を備えるコンテンツ提供システム、および当該表示装置に関する。
【背景技術】
【０００２】
近年、表示装置がユーザに情報を提供する際に、読み取りミスを防止し、かつ容易に当該情報を提供するため、他の機器において読み取り可能なコードに当該情報を含めて表示する技術が開示されている。
【０００３】
例えば、特許文献１には、電子機器の機器固有情報を、外部読み取り機器によって自動読み取り可能な形式で表示部に表示させる電子機器が開示されている。
【０００４】
また、特許文献２には、携帯端末で読み取り可能な二次元バーコードであって、テレビモニタに表示されている商品またはサービス注文用ＵＲＬ（Uniform Resource Locator）を含む二次元バーコードを表示するテレビが開示されている。
【先行技術文献】
【特許文献】
【０００５】
【特許文献１】特開２００９−２９０２６５号公報（２００９年１２月１０日公開）
【特許文献２】特開２００６−９９１５０（２００６年４月１３日公開）
【発明の概要】
【発明が解決しようとする課題】
【０００６】
しかしながら、上述の従来技術では、表示装置から取得した情報を利用したサービスを複数提供する場合は考慮されていない。換言すると、上述の従来技術では、表示装置から取得した情報を利用するサービスを複数提供する場合、各サービスにおいてサービス利用対象（表示装置、表示装置使用者等）を識別するための情報の入力をユーザに強いることになるという問題がある。
【０００７】
本発明は、上記の課題に鑑みてなされたものであり、その目的は、表示装置から取得した情報を利用するサービスを複数提供する場合における、ユーザの利便性を向上させることができる技術を提供することにある。
【課題を解決するための手段】
【０００８】
上記の課題を解決するために、本発明の一態様に係るサーバは、第１のサービスを提供することによって表示装置から取得した情報を用いる第２のサービスを利用するための接続先情報と、当該表示装置を識別するための情報である表示装置識別情報と、が含まれたコンテンツを作成する作成部、を備える。
【０００９】
上記の課題を解決するために、本発明の一態様に係るコンテンツ作成方法は、第１のサービスを提供することによって表示装置から取得した情報を用いる第２のサービスを利用するための接続先情報と、当該表示装置を識別するための情報である表示装置識別情報と、が含まれたコンテンツを作成する作成工程、を含む。
【００１０】
上記の課題を解決するために、本発明の一態様に係るプログラムは、サーバとしてコンピュータを機能させるためのプログラムであって、上記コンピュータを、第１のサービスを提供することによって表示装置から取得した情報を用いる第２のサービスを利用するための接続先情報と、当該表示装置を識別するための情報である表示装置識別情報と、が含まれたコンテンツを作成する作成部、として機能させる。
【００１１】
上記の課題を解決するために、本発明の一態様に係るコンテンツ提供システムは、表示装置およびサーバを備えるコンテンツ提供システムであって、上記サーバは、上記表示装置から、上記表示装置を識別するための情報である表示装置識別情報を取得する表示装置識別情報取得部と、第１のサービスを提供することによって表示装置から取得した情報を用いる第２のサービスを利用するための接続先情報、および当該表示装置を識別するための情報である表示装置識別情報が含まれたコンテンツを作成する作成部と、上記作成部が作成したコンテンツを上記表示装置に出力するコンテンツ出力部と、を備え、上記表示装置は、上記表示装置識別情報を出力する表示装置識別情報出力部と、上記サーバから、上記コンテンツを取得するコンテンツ取得部と、上記コンテンツ取得部が取得したコンテンツを表示部に表示する表示制御部と、を備える。
【００１２】
上記の課題を解決するために、本発明の一態様に係る表示装置は、当該表示装置を識別するための情報である表示装置識別情報を出力する表示装置識別情報出力部と、サーバが第１のサービスを提供することによって当該表示装置から取得した情報を用いる第２のサービスを利用するための接続先情報および上記表示装置識別情報が含まれたコンテンツを取得するコンテンツ取得部と、上記コンテンツ取得部が取得したコンテンツを表示部に表示する表示制御部と、を備える。
【発明の効果】
【００１３】
本発明の一態様によれば、表示装置から取得した情報を利用するサービスを複数提供する場合における、ユーザの利便性を向上させることができる。
【図面の簡単な説明】
【００１４】
【図１】本発明の実施形態１に係るコンテンツ提供システムを模式的に示す図である。
【図２】本発明の実施形態１に係るコンテンツ提供システムの要部構成を示すブロック図である。
【図３】本発明の実施形態１に係るコンテンツ提供システムにおいて、第２のサービスのサービス概要を含むコンテンツを表示するまでの処理の流れを示すシーケンス図である。
【図４】本発明の実施形態１において表示装置が表示するコンテンツの例を示す図である。
【図５】本発明の実施形態１に係るコンテンツ提供システムにおいて、第２のサービスのサービス概要を含むコンテンツを表示してから、第２のサービスの利用規約を含むコンテンツを表示するまでの処理の流れを示すシーケンス図である。
【図６】本発明の実施形態１において表示装置が表示するコンテンツの他の例を示す図である。
【図７】本発明の実施形態１に係るコンテンツ提供システムにおいて、第２のサービスの利用規約を含むコンテンツを表示してから、二次元バーコードを含むコンテンツを表示するまでの処理の流れを示すシーケンス図である。
【図８】本発明の実施形態１において表示装置が表示する二次元バーコードを含むコンテンツの例を示す図である。
【図９】本発明の実施形態４におけるサーバおよび表示装置として利用可能なコンピュータの構成を例示したブロック図である。
【発明を実施するための形態】
【００１５】
以下、図面に基づいて本発明の実施形態を詳細に説明する。なお、説明の便宜上、各実施形態に示した部材と同一の機能を有する部材については、同一の符号を付し、適宜その説明を省略する。
【００１６】
〔実施形態１〕
以下、本発明の実施の形態について、図１〜図８を用いて詳細に説明する。
【００１７】
（コンテンツ提供システム）
図１は、本発明の実施形態１に係るコンテンツ提供システム１を模式的に示す図である。コンテンツ提供システム１は、図１に示すように、サーバ１０および表示装置２０によって構成されている。
【００１８】
コンテンツ提供システム１では、サーバ１０は、表示装置２０から取得した情報を用いた第１のサービス、および第１のサービスとは異なる第２のサービスであって、第１のサービスを提供することによって表示装置２０から取得した情報を用いる第２のサービスを提供する。また、サーバ１０は、表示装置２０を識別するための情報である表示装置ＩＤ（表示装置識別情報）と、第２のサービスを利用するための接続先情報とが埋め込まれた二次元バーコードを含むコンテンツを作成する。そして、サーバ１０は、当該コンテンツを表示装置２０に出力し、表示装置２０は、当該コンテンツを取得し、表示する。
【００１９】
ここで、表示装置２０が表示するコンテンツに含まれる二次元バーコードは、周知の二次元バーコード読み取り装置（例えば、携帯電話、スマートフォンなど）によって読み取り可能な二次元バーコードである。そのため、二次元バーコード読み取り装置は、表示装置２０に表示されている二次元バーコードを読み取ることにより、二次元バーコードに埋め込まれた接続先情報が示す接続先（例えば、第２のサービスを利用するためにユーザ登録を行うページのＵＲＬ）に接続することができる。
【００２０】
なお、本発明における第１のサービスとして、例えば、表示装置２０が放送番組を受信可能であり、表示装置２０が受信した放送番組を示す放送番組情報を表示装置２０からサーバ１０が取得し、サーバ１０は、放送番組情報を受信した受信数を集計した集計結果を表示装置２０に提供するサービスが挙げられる。また、本発明における第２のサービスとして、例えば、第１のサービスにおいて取得した放送番組情報を参照し、表示装置２０においてユーザがインターネットを利用する画面に、上記放送番組情報に関連した情報を表示するサービスが挙げられる。しかしながら、第１のサービスおよび第２のサービスはこれらサービスに限定されず、表示装置２０から取得した情報を用いた周知のサービスを第１のサービスおよび第２のサービスとして適用可能であり、その詳細については省略する。
【００２１】
また、本明細書では、サーバ１０が表示装置２０を識別するための表示装置ＩＤを表示装置２０から取得する構成について説明しているが、表示装置ＩＤには、表示装置２０を識別するための情報に加えて、表示装置２０を使用する使用者を識別するための情報である表示装置使用者情報が含まれていてもよい。また、サーバ１０は、表示装置ＩＤに替えて、表示装置使用者情報を表示装置２０から取得する構成であってもよい。
【００２２】
図２は、本発明の実施形態１に係るコンテンツ提供システム１の要部構成を示すブロック図である。サーバ１０および表示装置２０の構成について、図２を用いて説明する。
【００２３】
（サーバ１０）
サーバ１０は、図２に示すように、サーバ通信部１１０およびサーバ制御部１２０を備えている。
【００２４】
サーバ通信部１１０は、外部の機器と情報を送受信することができる。サーバ通信部１１０は、ＬＡＮケーブルが接続されるＬＡＮ端子や無線ＬＡＮインターフェースにより実現される。
【００２５】
サーバ制御部１２０は、サーバ１０の各構成を統括的に制御するものであり、ＣＰＵ（Central Processing Unit）により実現される。サーバ制御部１２０の詳細について、以下に説明する。
【００２６】
（サーバ制御部１２０）
サーバ制御部１２０は、図２に示すように、表示装置ＩＤ取得部１２１、コンテンツ作成部（作成部）１２２、コンテンツ出力要求受付部１２３、およびコンテンツ出力部１２４としても機能する。
【００２７】
表示装置ＩＤ取得部１２１は、表示装置ＩＤを、サーバ通信部１１０を制御して表示装置２０から取得する。
【００２８】
コンテンツ作成部１２２は、コンテンツ出力要求受付部１２３からの指示に応じたコンテンツを作成する。コンテンツ作成部１２２が作成するコンテンツの詳細については、参照する図面を替えて後述する。
【００２９】
コンテンツ出力要求受付部１２３は、サーバ通信部１１０を制御して、コンテンツの出力要求を受け付け、受け付けた要求に応じたコンテンツを出力するよう、コンテンツ作成部１２２に指示する。
【００３０】
コンテンツ出力部１２４は、コンテンツ作成部１２２が作成したコンテンツを、サーバ通信部１１０を制御して表示装置２０に出力する。
【００３１】
（表示装置２０）
表示装置２０は、図２に示すように、表示装置通信部２１０、表示装置制御部２２０、表示部２３０、および操作部２４０を備えている。
【００３２】
表示装置通信部２１０は、外部の機器と情報を送受信することができる。サーバ通信部１１０は、ＬＡＮケーブルが接続されるＬＡＮ端子や無線ＬＡＮインターフェースにより実現される。
【００３３】
表示部２３０は、表示装置制御部２２０から出力される画像信号が示す画像を表示する。表示部２３０は、バックライトを有した透過型の液晶パネルや有機ＥＬ（Electro luminescence）ディスプレイなどにより実現される。
【００３４】
操作部２４０は、ユーザの操作を受け付け、当該操作を示す操作情報を出力する。操作部２４０は、リモートコントローラ（不図示）から送信される赤外線信号を受光する赤外線信号受光部や、スイッチ、タッチパッドなどにより実現される。
【００３５】
表示装置制御部２２０は、表示装置２０の各構成を統括的に制御するものであり、ＣＰＵにより実現される。表示装置制御部２２０の詳細について、以下に説明する。
【００３６】
（表示装置制御部２２０）
表示装置制御部２２０は、図２に示すように、コンテンツ取得部２２１、表示制御部２２２、操作情報取得部２２３、コンテンツ要求部（表示装置識別情報出力部）２２４、表示装置ＩＤ管理部２２５、および第１のサービス管理部２２６としても機能する。
【００３７】
コンテンツ取得部２２１は、サーバ１０から出力されたコンテンツを、表示装置通信部２１０を制御して取得する。
【００３８】
表示制御部２２２は、表示部２３０に表示させる画像を示す画像信号を出力する。
【００３９】
操作情報取得部２２３は、操作部２４０から出力される操作情報を取得する。
【００４０】
コンテンツ要求部２２４は、表示装置通信部２１０を制御して、サーバ１０にコンテンツの出力を要求する。
【００４１】
表示装置ＩＤ管理部２２５は、表示装置ＩＤを管理する。
【００４２】
第１のサービス管理部２２６は、表示装置２０が第１のサービスを利用しているか否かを管理し、表示装置２０が第１のサービスを利用しているか否かを示す第１のサービス利用情報を出力する。表示装置２０が第１のサービスを利用しているか否かを第１のサービス管理部２２６が管理する方法の例として、（１）表示装置２０において第１のサービスを利用する処理を実行し、かつ、第１のサービスの利用を止める処理を実行していないか否か、（２）表示装置２０が第１のサービスを利用しているか否かを、第１のサービスを提供するサーバ１０に表示装置通信部２１０を介して問い合わせる、といった構成が挙げられる。
【００４３】
（サービス概要を表示するまでの処理）
コンテンツ提供システム１の処理（コンテンツ作成方法）の流れについて説明する。まず、コンテンツ提供システム１において、第２のサービスのサービス概要を含むコンテンツを表示するまでの処理について、図３および図４を用いて説明する。図３は、本発明の実施形態１に係るコンテンツ提供システム１において、第２のサービスのサービス概要を含むコンテンツを表示するまでの処理の流れを示すシーケンス図である。また、図４は、本発明の実施形態１において表示装置２０が表示するコンテンツの例を示す図である。
【００４４】
（ステップＳ１）
表示装置２０の操作情報取得部２２３は、操作部２４０を介して、第２のサービスのサービス概要を表示する旨の操作を示す操作情報を取得する。操作情報取得部２２３が当該操作情報を取得するために表示されるコンテンツの例を、図４の（ａ）に示す。
【００４５】
図４の（ａ）は、表示装置２０においてインターネットを利用する際に表示部２３０に表示される初期画面４０の例である。表示装置２０は、図４の（ａ）に示すように、複数のコンテンツのそれぞれを表示するための操作を受け付ける複数のアイコンを含む初期画面４０を表示し、当該複数のアイコンの１つとして、第２のサービス（○○サービス）のサービス概要を表示するための操作を受け付けるアイコン６０を表示する。操作情報取得部２２３は、アイコン６０を選択する操作（例えば、ユーザがリモコンを用いて、アイコン６０にカーソルを合わせ、決定ボタンを押す）を示す操作情報を取得すると、操作情報取得部２２３は、取得した操作情報をコンテンツ要求部２２４に出力する。
【００４６】
なお、第１のサービス管理部２２６が出力する第１のサービス利用情報が、表示装置２０は第１のサービスを利用していないことを示す場合、表示装置２０は、アイコン６０に替えて、第１のサービスの利用を促す画面（後述する図６の（ｂ）を参照）を表示するための操作を受け付けるアイコンを表示する構成であってもよい。
【００４７】
（ステップＳ３）
コンテンツ要求部２２４は、取得した操作情報を参照し、第２のサービスのサービス概要を含むコンテンツを、表示装置通信部２１０を介してサーバ１０に要求する。
【００４８】
（ステップＳ５）
サーバ１０のコンテンツ出力要求受付部１２３は、サーバ通信部１１０を介して、第２のサービスのサービス概要を含むコンテンツの要求を受け付ける。そして、コンテンツ出力要求受付部１２３は、当該要求に応じて、第２のサービスのサービス概要を含むコンテンツを作成するよう、コンテンツ作成部１２２に指示する。
【００４９】
（ステップＳ７）
コンテンツ作成部１２２は、コンテンツ出力要求受付部１２３の指示に応じて、第２のサービスのサービス概要を含むコンテンツを作成する。コンテンツ作成部１２２は、作成したコンテンツを、コンテンツ出力部１２４に出力する。コンテンツ出力部１２４は、取得したコンテンツを、サーバ通信部１１０を介して表示装置２０に出力する。
【００５０】
（ステップＳ９）
表示装置２０のコンテンツ取得部２２１は、表示装置通信部２１０を介して、第２のサービスのサービス概要を含むコンテンツを取得する。コンテンツ取得部２２１は、取得したコンテンツを、表示制御部２２２に出力する。
【００５１】
（ステップＳ１１）
表示制御部２２２は、取得したコンテンツを示す画像信号を、表示部２３０に出力する。表示部２３０は、取得した画像信号が示すコンテンツであって、第２のサービスのサービス概要を含むコンテンツを表示する。表示部２３０が表示する第２のサービスのサービス概要を含むコンテンツの例を、図４の（ｂ）に示す。
【００５２】
図４の（ｂ）は、表示装置２０において表示される第２のサービスのサービス概要を含むコンテンツ４２の例である。コンテンツ４２は、図４の（ｂ）に示すように、第２のサービスのサービス概要、第２のサービスを利用する旨の操作を受け付ける「利用する」ボタン６２、および第２のサービスを利用しない旨の操作を受け付ける「利用しない」ボタン６４を含んでいる。
【００５３】
コンテンツ４２に含まれるサービス概要の記載例として、以下の記載が挙げられる。
【００５４】
・お客様が○○サービスを利用することにより、○○サービスを提供する事業者へお客様の視聴情報が提供されます。
【００５５】
・お客様が○○サービスを利用することにより、お客様のスマートフォンやパソコンに、お客様が必要とする可能性の高い情報を届けることができます。
【００５６】
（利用規約を表示するまでの処理）
コンテンツ提供システム１の処理の流れのうち、第２のサービスのサービス概要を含むコンテンツを表示してから、第２のサービスの利用規約を含むコンテンツを表示するまでの処理について、図５および図６を用いて説明する。図５は、本発明の実施形態１に係るコンテンツ提供システム１において、第２のサービスのサービス概要を含むコンテンツを表示してから、第２のサービスの利用規約を含むコンテンツを表示するまでの処理の流れを示すシーケンス図である。また、図６は、本発明の実施形態１において表示装置２０が表示するコンテンツの他の例を示す図である。
【００５７】
（ステップＳ２１）
上述したステップＳ１１の処理を実行すると、表示装置２０の操作情報取得部２２３は、第２のサービスを利用する旨の操作を受け付けたか否かを判定する。
【００５８】
（ステップＳ２３）
ステップＳ２１において、「第２のサービスを利用する旨の操作を受け付けた」と判定された場合（例えば、図４における「利用する」ボタン６２が選択されたことを示す操作情報を取得した場合、ステップＳ２１：ＹＥＳ）、操作情報取得部２２３は、取得した操作情報をコンテンツ要求部２２４に出力する。コンテンツ要求部２２４は、取得した操作情報を参照し、第１のサービス管理部２２６に対して、第１のサービス利用情報を出力するよう指示する。第１のサービス管理部２２６は、コンテンツ要求部２２４の指示に応じて、第１のサービス利用情報を出力する。
【００５９】
（ステップＳ２５）
ステップＳ２３において、「第１のサービスを利用している」と判定された場合、すなわち、コンテンツ要求部２２４が取得した第１のサービス利用情報が、表示装置２０は第２のサービスを利用していることを示す場合（ステップＳ２３：ＹＥＳ）、コンテンツ要求部２２４は、第２のサービスの利用規約を含むコンテンツを、表示装置通信部２１０を介してサーバ１０に要求する。コンテンツ要求部２２４が第２のサービスの利用規約を含むコンテンツをサーバ１０に要求する方法の例として、第１のサービス利用情報を出力する構成が挙げられる。
【００６０】
（ステップＳ２７）
サーバ１０のコンテンツ出力要求受付部（第１のサービス利用情報取得部）１２３は、サーバ通信部１１０を介して、第２のサービスの利用規約を含むコンテンツの要求を受け付ける。そして、コンテンツ出力要求受付部１２３は、当該要求に応じて、第２のサービスの利用規約を含むコンテンツを作成するよう、コンテンツ作成部１２２に指示する。
【００６１】
（ステップＳ２９）
コンテンツ作成部１２２は、コンテンツ出力要求受付部１２３の指示に応じて、第２のサービスの利用規約を含むコンテンツを作成する。コンテンツ作成部１２２は、作成したコンテンツを、コンテンツ出力部１２４に出力する。コンテンツ出力部１２４は、取得したコンテンツを、サーバ通信部１１０を介して表示装置２０に出力する。
【００６２】
（ステップＳ３１）
表示装置２０のコンテンツ取得部２２１は、表示装置通信部２１０を介して、第の２サービスの利用規約を含むコンテンツを取得する。コンテンツ取得部２２１は、取得したコンテンツを、表示制御部２２２に出力する。
【００６３】
（ステップＳ３３）
表示制御部２２２は、取得したコンテンツを示す画像信号を、表示部２３０に出力する。表示部２３０は、取得した画像信号が示すコンテンツであって、第２のサービスの利用規約を含むコンテンツを表示する。表示部２３０が表示する第２のサービスの利用規約を含むコンテンツ４４の例を、図６の（ａ）に示す。
【００６４】
図６の（ａ）は、表示部２３０が表示する第２のサービスの利用規約を含むコンテンツ４４の例である。コンテンツ４４は、図６の（ａ）に示すように、第２のサービスの利用規約、第２のサービスの利用規約に同意する旨の操作を受け付ける「同意するボタン」６６、および第２のサービスの利用規約に同意しない旨の操作を受け付ける「同意しない」ボタン６７を含んでいる。
【００６５】
コンテンツ４４に含まれる利用規約の記載例として、以下の記載が挙げられる。
【００６６】
・この同意事項は、お客様が○○サービスを利用するにあたり、予め当社がお客様にご確認頂きたい事項を定めたものです。
【００６７】
・この同意事項の内容に同意頂けない場合、○○サービスをご利用頂けませんのでご了承下さい。
【００６８】
（ステップＳ３４）
また、上述のステップＳ２３において、「第１のサービスを利用していない」と判定された場合、すなわち、コンテンツ要求部２２４が取得した第１のサービス利用情報が、表示装置２０は第１のサービスを利用していないことを示す場合（ステップＳ２３：ＮＯ）、コンテンツ要求部２２４は、第１のサービスの利用を促す画面を出力するよう要求する。コンテンツ要求部２２４が第１のサービスの利用を促す画面をサーバ１０に要求する方法の例として、第１のサービス利用情報を出力する構成が挙げられる。
【００６９】
（ステップＳ３５）
サーバ１０のコンテンツ出力要求受付部１２３は、サーバ通信部１１０を介して、第１のサービスの利用を促す画面の要求を受け付ける（第１のサービス利用情報を取得する）。そして、コンテンツ出力要求受付部１２３は、当該要求に応じて、第１のサービスの利用を促す画面を作成するよう、コンテンツ作成部１２２に指示する。
【００７０】
（ステップＳ３６）
コンテンツ作成部１２２は、コンテンツ出力要求受付部１２３の指示に応じて、第１のサービスの利用を促す画面を作成する。コンテンツ作成部１２２は、作成した画面を、コンテンツ出力部１２４に出力する。コンテンツ出力部１２４は、取得したコンテンツを、サーバ通信部１１０を介して表示装置２０に出力する。
【００７１】
（ステップＳ３７）
表示装置２０のコンテンツ取得部２２１は、表示装置通信部２１０を介して、第１のサービスの利用を促す画面を取得する。コンテンツ取得部２２１は、取得した画面を表示制御部２２２に出力する。
【００７２】
（ステップＳ３８）
表示制御部２２２は、取得した画面を示す画像信号を、表示部２３０に出力する。表示部２３０は、取得した画像信号が示す画面であって、第１のサービスの利用を促す画面を表示する。表示部２３０が表示する第１のサービスの利用を促す画面４５の例を、図６の（ｂ）に示す。
【００７３】
図６の（ｂ）は、表示部２３０が表示する第１のサービス（△△サービス）の利用を促す画面４５の例である。画面４５は、図６の（ｂ）に示すように、第１のサービスの利用を促すテキスト、第１のサービスを利用する旨の操作を受け付ける「利用するボタン」６８、および第１のサービスを利用しない旨の操作を受け付ける「利用しない」ボタン６９を含んでいる。
【００７４】
（ステップＳ３９）
操作情報取得部２２３は、第１のサービスを利用する旨の操作を受け付けたか否かを判定する。
【００７５】
ステップＳ３９において、「第１のサービスを利用する旨の操作を受け付けた」と判定された場合（例えば、図６の（ｂ）における「利用する」ボタン６８が選択されたことを示す操作情報を取得した場合、ステップＳ３９：ＹＥＳ）、表示装置２０は、第１のサービスを利用する処理を実行し、上述したステップＳ２５に進む。
【００７６】
一方、ステップＳ３９において、「第１のサービスを利用する旨の操作は受け付けていない」と判定された場合（例えば、図６の（ｂ）における「利用しない」ボタン６９が選択されたことを示す操作情報を取得した場合、ステップＳ３９：ＮＯ）、または、上述のステップＳ２１において、「第２のサービスを利用する旨の操作を受け付けていない」と判定された場合、コンテンツ提供システム１における処理は終了する。この場合、表示装置２０は、ユーザが第２のサービスを利用しないことを示す第２のサービス利用情報をサーバ１０に出力する構成であってもよい。この場合、サーバ１０のコンテンツ出力要求受付部（第２のサービス利用情報取得部）１２３は、サーバ通信部１１０を介して第２のサービス利用情報を取得する。そして、コンテンツ出力要求受付部１２３は、取得した第２のサービス利用情報は、ユーザが第２のサービスを利用しないことを示すので、コンテンツ作成部１２２に対して、コンテンツの作成を指示しない。
【００７７】
なお、ステップＳ２１において、「第２のサービスを利用する旨の操作を受け付けていない」と判定する方法として、（１）図４における「利用しない」ボタン６４が選択されたことを示す操作情報を操作情報取得部２２３が取得した、（２）ユーザがインターネットの利用を止める旨の操作を示す操作情報を操作情報取得部２２３が取得した、（３）所定の時間（例えば１０分）、図４における「利用する」ボタン６２が選択されたことを示す操作情報を操作情報取得部２２３が取得できなかった、などが挙げられる。
【００７８】
（二次元バーコードを表示するまでの処理）
コンテンツ提供システム１の処理の流れのうち、第２のサービスの利用規約を含むコンテンツを表示してから、二次元バーコードを含むコンテンツを表示するまでの処理について、図７および図８を用いて説明する。図７は、本発明の実施形態１に係るコンテンツ提供システム１において、第２のサービスの利用規約を含むコンテンツを表示してから、二次元バーコードを含むコンテンツを表示するまでの処理の流れを示すシーケンス図である。また、図８は、本発明の実施形態１において表示装置２０が表示する二次元バーコード７０を含むコンテンツ４６の例を示す図である。
【００７９】
（ステップＳ４１）
表示装置２０は、上述したステップＳ３３の処理を実行すると、操作情報取得部２２３は、第２のサービスの利用規約に同意する旨の操作を受け付けたか否かを判定する。
【００８０】
（ステップＳ４３）
ステップＳ４１において、「第２のサービスの利用規約に同意する旨の操作を受け付けた」と判定された場合、例えば、図６における「同意する」ボタン６６が選択されたことを示す操作情報を取得した場合（ステップＳ４１：ＹＥＳ）、操作情報取得部２２３は、取得した操作情報をコンテンツ要求部２２４に出力する。コンテンツ要求部２２４は、取得した操作情報を参照し、表示装置ＩＤ管理部２２５に対して、表示装置ＩＤを出力するよう指示する。表示装置ＩＤ管理部２２５は、表示装置ＩＤ管理部２２５の指示に応じて、表示装置ＩＤをコンテンツ要求部２２４に出力する。コンテンツ要求部２２４は、取得した表示装置ＩＤを、表示装置通信部２１０を介してサーバ１０に出力し、当該表示装置ＩＤおよび第２のサービスを利用するための接続先情報が埋め込まれた二次元バーコードを含むコンテンツを要求する。換言すると、コンテンツ要求部２２４は、表示装置ＩＤを出力することにより、ユーザが利用規約を許諾したことを示す許諾情報を出力していると言い換えることができる。
【００８１】
（ステップＳ４５）
サーバ１０の表示装置ＩＤ取得部（許諾情報取得部、表示装置識別情報取得部）１２１は、サーバ通信部１１０を介して、表示装置ＩＤを取得する（第２のサービスの利用規約を許諾したことを示す許諾情報を取得する）。そして、表示装置ＩＤ取得部１２１は、取得した表示装置ＩＤを、コンテンツ作成部１２２に出力する。
【００８２】
（ステップＳ４７、作成工程）
コンテンツ作成部１２２は、取得した表示装置ＩＤと、第２のサービスを利用するための接続先情報とが埋め込まれた二次元バーコードを生成し、当該二次元バーコードを含むコンテンツを作成する。そして、コンテンツ作成部１２２は、作成したコンテンツをコンテンツ出力部１２４に出力する。
【００８３】
（ステップＳ４９）
コンテンツ出力部１２４は、取得したコンテンツである二次元バーコードを含むコンテンツを、サーバ通信部１１０を介して表示装置２０に出力する。
【００８４】
（ステップＳ５１）
表示装置２０のコンテンツ取得部２２１は、表示装置通信部２１０を介して、二次元バーコードを含むコンテンツを取得する。コンテンツ取得部２２１は、取得したコンテンツを、表示制御部２２２に出力する。
【００８５】
（ステップＳ５３）
表示制御部２２２は、取得したコンテンツを示す画像信号を、表示部２３０に出力する。表示部２３０は、取得した画像信号が示すコンテンツであって、二次元バーコードを含むコンテンツを表示する。表示部２３０が表示する二次元バーコードを含むコンテンツ４６の例を、図８に示す。
【００８６】
コンテンツ４６は、図８に示すように、二次元バーコード７０を含んでいる。ユーザは、二次元バーコード読み取り装置を用いて二次元バーコード７０を読み取ることにより、二次元バーコード７０に埋め込まれた第２のサービスを利用するための接続先情報が示す接続先に接続することができる。また、二次元バーコード７０には、表示装置２０の表示装置ＩＤも埋め込まれているため、サーバ１０は、接続先においてユーザに表示装置ＩＤを入力させることなく、第２のサービスを提供することができる。
【００８７】
なお、コンテンツ作成部１２２が作成した、（１）ステップＳ７における第２のサービスのサービス概要を含むコンテンツ、（２）ステップＳ２９における第２のサービスの利用規約を含むコンテンツ、（３）ステップＳ３５における第１のサービスの利用を促す画面はそれぞれ、予めサーバ１０に格納され、コンテンツ作成部１２２は、格納された各コンテンツを取得する構成であってもよい。
【００８８】
このように、本実施形態におけるコンテンツ提供システム１では、サーバ１０は、第１のサービスを提供することによって表示装置２０から取得した情報を用いる第２のサービスを利用するための接続先情報と、表示装置２０を識別するための情報である表示装置ＩＤと、が含まれたコンテンツを作成する。そのため、表示装置２０から取得した情報を利用するサービスを複数（第１のサービスおよび第２のサービス）提供する場合に、各サービスを利用するための各接続先において、ユーザに表示装置ＩＤを入力させることなく、複数のサービスを提供することができる。そのため、コンテンツ提供システム１では、表示装置２０から取得した情報を利用するサービスを複数提供する場合における、ユーザの利便性を向上させることができる。
【００８９】
また、コンテンツ提供システム１では、サーバ１０は、接続先情報と表示装置ＩＤとを、ユーザにとって識別困難な画像（二次元バーコード）としてコンテンツに含めている。そのため、ユーザが当該画像を見ても、接続先および表示装置ＩＤを認識することはできないため、コンテンツ提供システム１では、接続先への不正な接続や、表示装置ＩＤの不正な利用を防止することができる。
【００９０】
また、コンテンツ提供システム１では、サーバ１０は、接続先情報と表示装置ＩＤとが埋め込まれた二次元バーコードをコンテンツに含める。そのため、ユーザは二次元バーコード読み取り装置を用いて容易に接続先に接続でき、かつ、容易にサービスの登録等ができるため、コンテンツ提供システム１では、表示装置２０から取得した情報を利用するサービスを複数提供する場合におけるユーザの利便性を向上させることができる。
【００９１】
なお、本明細書では、表示装置２０に接続先情報および表示装置ＩＤが埋め込まれた二次元バーコードを含んだコンテンツを表示する構成について記載しているが、本発明はこの構成に限定されない。例えば、表示装置２０が、接続先情報および表示装置ＩＤとを含む情報を無線信号にてユーザの無線通信装置（例えば携帯端末、スマートフォンなど）に出力する構成であってもよい。
【００９２】
〔実施形態２〕
上述の実施形態では、サーバ１０は、表示装置ＩＤおよび第２のサービスを利用するための接続先情報を二次元バーコードに埋め込む構成であったが、本実施形態に係るコンテンツ提供システム１ａにおけるサーバ１０ａは、表示装置ＩＤに替えて、第２のサービスにおいて用いられる第２のサービス用表示装置ＩＤ（第２のサービス用表示装置識別情報）を二次元バーコードに埋め込む構成について、説明する。
【００９３】
まず、サーバ１０ａは、提供するサービスを他のサービスと識別する情報を記憶しており、例えば、第１のサービスを識別するための第１のサービス識別情報および第２のサービスを識別するための第２のサービス識別情報を記憶している。
【００９４】
続いて、上述したステップＳ４７において、サーバ１０ａのコンテンツ作成部（第２のサービス用表示装置識別情報生成部）１２２が表示装置ＩＤを取得すると、当該表示装置ＩＤと第２のサービス識別情報とから、第２のサービス用表示装置ＩＤを生成する。そして、コンテンツ作成部１２２は、生成した第２のサービス用表示装置ＩＤと第２のサービスを利用するための接続先情報とが埋め込まれた二次元バーコードを生成し、当該二次元バーコードを含むコンテンツを作成する。
【００９５】
このように、本実施形態におけるサーバ１０ａは、第２のサービス用表示装置ＩＤを生成し、当該第２のサービス用表示装置ＩＤと第２のサービスを利用するための接続先情報とが埋め込まれた二次元バーコードを生成する。そのため、第１のサービスおよび第２のサービスと異なる第３のサービスを提供する事業者が、第２のサービス用表示装置ＩＤを取得したとしても、第２のサービス用表示装置ＩＤからは表示装置２０を特定できないため、表示装置２０の表示装置ＩＤを不正に利用されることを防ぐことができる。
【００９６】
また、ユーザが二次元バーコード読み取り装置を用いて、二次元バーコードに含まれる接続先情報および第２のサービス用表示装置ＩＤを取得した場合であっても、表示装置２０の表示装置ＩＤは取得できないため、表示装置２０の表示装置ＩＤを不正に利用されることを防ぐことができる。
【００９７】
〔実施形態３〕
上記各実施形態では、１つのサーバ１０を用いる例を説明したが、サーバ１０の有する各機能が、個別のサーバにて実現されていてもよい。そして、複数のサーバを適用する場合においては、各サーバは、同じ事業者によって管理されていてもよいし、異なる事業者によって管理されていてもよい。例えば、図２におけるサーバ１０の各構成を備えるサーバと、第１のサービスを提供するサーバと、第２のサービスを提供するサーバとの３つのサーバによって構成されてもよい。この場合、第２のサービスを提供するサーバが第２のサービスをユーザに提供する場合、第１のサービスを提供するサーバに対して、表示装置２０から取得した情報を出力するよう要求する。
【００９８】
図２におけるサーバ１０の各構成を備えるサーバと、第１のサービスを提供するサーバと、第２のサービスを提供するサーバとの３つのサーバによって構成する場合、第２のサービスのサービス概要を含むコンテンツおよび第２のサービスの利用規約を含むコンテンツを、第１のサーバにおいて作成する。換言すると、第１のサーバは、他のサーバが提供するサービスのサービス概要および利用規約を作成するサーバであるとも表現することができる。
【００９９】
また、図２におけるサーバ１０の各構成を備えるサーバと、第１のサービスを提供するサーバと、第２のサービスを提供するサーバとの３つのサーバによって構成する場合、上述の実施形態２においてサーバ１０ａに記憶されていた第１のサービス識別情報および第２のサービス識別情報はそれぞれ、第１のサーバおよび第２のサーバが記憶している構成であってもよい。
【０１００】
〔実施形態４〕
サーバ１０、サーバ１０ａ、および表示装置２０の各ブロックは、集積回路（ＩＣチップ）等に形成された論理回路（ハードウェア）によって実現してもよいし、ＣＰＵ（Central Processing Unit）を用いてソフトウェアによって実現してもよい。後者の場合、サーバ１０、サーバ１０ａ、および表示装置２０のそれぞれを、図９に示すようなコンピュータ（電子計算機）を用いて構成することができる。
【０１０１】
図９は、サーバ１０、サーバ１０ａ、および表示装置２０として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１０２】
補助記憶装置９１４には、コンピュータ９１０をサーバ１０、サーバ１０ａ、または表示装置２０として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、サーバ１０、サーバ１０ａ、または表示装置２０が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【０１０３】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１０４】
〔まとめ〕
本発明の態様１に係るサーバ（１０、１０ａ）は、第１のサービスを提供することによって表示装置（２０）から取得した情報を用いる第２のサービスを利用するための接続先情報と、当該表示装置を識別するための情報である表示装置識別情報と、が含まれたコンテンツを作成する作成部（コンテンツ作成部１２２）、を備える。
【０１０５】
上記の構成によれば、表示装置から取得した情報を複数提供する場合に、各サービスを利用するための各接続先において、ユーザに表示装置ＩＤを入力させることなく、複数のサービスを提供することができる。そのため、コンテンツ提供システム１では、表示装置から取得した情報を利用するサービスを複数提供する場合におけるユーザの利便性を向上させることができる。
【０１０６】
本発明の態様２に係るサーバにおいて、上記態様１における上記作成部は、上記接続先情報と上記表示装置識別情報とをユーザにとって識別困難な画像として上記コンテンツに含めてもよい。
【０１０７】
上記の構成によれば、接続先への不正な接続や、表示装置ＩＤの不正な利用を防止することができる。
【０１０８】
本発明の態様３に係るサーバにおいて、上記態様２における上記作成部は、上記接続先情報と上記表示装置識別情報とが埋め込まれた二次元バーコードを上記画像として上記コンテンツに含めてもよい。
【０１０９】
上記の構成によれば、表示装置から取得した情報を利用するサービスを複数提供する場合におけるユーザの利便性を向上させることができる。
【０１１０】
本発明の態様４に係るサーバは、上記態様３において、上記表示装置識別情報を参照し、上記第２のサービスを利用するための表示装置識別情報である第２のサービス用表示装置識別情報を生成する第２のサービス用表示装置識別情報生成部（コンテンツ作成部１２２）をさらに備え、上記作成部は、上記第２のサービス用表示装置識別情報生成部が生成した第２のサービス用表示装置識別情報と、上記接続先情報とが埋め込まれた二次元バーコードを上記画像として上記コンテンツに含めてもよい。
【０１１１】
上記の構成によれば、表示装置識別情報を不正に利用されることを防ぐことができる。
【０１１２】
本発明の態様５に係るサーバは、上記態様１〜４において、ユーザが上記第２のサービスを利用するか否かを示す第２のサービス利用情報を取得する第２のサービス利用情報取得部（コンテンツ出力要求受付部１２３）をさらに備え、上記第２のサービス利用情報取得部が取得した第２のサービス利用情報が、ユーザは上記第２のサービスを利用しないことを示す場合、上記作成部は、上記コンテンツを作成しなくてもよい。
【０１１３】
上記の構成によれば、第２のサービスを利用しないユーザに対して、第２のサービスを利用するための接続先情報や表示装置識別情報を提示するのを防ぐことができる。
【０１１４】
本発明の態様６に係るサーバは、上記態様１〜５において、ユーザが上記第１のサービスを利用しているか否かを示す第１のサービス利用情報を取得する第１のサービス利用情報取得部（コンテンツ出力要求受付部１２３）をさらに備え、上記第１のサービス利用情報取得部が取得した第１のサービス利用情報が、ユーザは第１のサービスを利用していないことを示す場合、上記作成部は、上記第１のサービスの利用を促す画面を生成してもよい。
【０１１５】
上記の構成によれば、第１のサービスを利用していないユーザに対して、第１のサービスの利用を促すことができる。
【０１１６】
本発明の態様７に係るサーバは、上記態様１〜６において、上記第１のサービスにおいて取得した情報を、上記第２のサービスにおいて利用することをユーザが許諾したか否かを示す許諾情報を取得する許諾情報取得部（コンテンツ出力要求受付部）をさらに備え、上記許諾情報取得部が取得した許諾情報が、ユーザが許諾したことを示す場合、上記作成部は、上記コンテンツを作成してもよい。
【０１１７】
上記の構成によれば、第２のサービスを利用することを許諾したユーザに対して、第２のサービスを利用するための接続先に接続させることができる。
【０１１８】
本発明の態様８に係るコンテンツ作成方法は、第１のサービスを提供することによって表示装置から取得した情報を用いる第２のサービスを利用するための接続先情報と、当該表示装置を識別するための情報である表示装置識別情報と、が含まれたコンテンツを作成する作成工程、を含む。
【０１１９】
上記の構成によれば、上記態様１と同様の効果を奏する。
【０１２０】
本発明の態様９に係るコンテンツ提供システム（１、１ａ）は、表示装置（２０）およびサーバ（１０、１０ａ）を備えるコンテンツ提供システムであって、上記サーバは、上記表示装置から、上記表示装置を識別するための情報である表示装置識別情報を取得する表示装置識別情報取得部（表示装置ＩＤ取得部１２１）と、第１のサービスを提供することによって表示装置から取得した情報を用いる第２のサービスを利用するための接続先情報および上記表示装置識別情報が含まれたコンテンツを作成する作成部（コンテンツ作成部１２２）と、上記作成部が作成したコンテンツを上記表示装置に出力するコンテンツ出力部（１２４）と、を備え、上記表示装置は、上記表示装置識別情報を出力する表示装置識別情報出力部（コンテンツ要求部２２４）と、上記サーバから、上記コンテンツを取得するコンテンツ取得部（２２１）と、上記コンテンツ取得部が取得したコンテンツを表示部に表示する表示制御部（２２２）と、を備える。
【０１２１】
上記の構成によれば、上記態様１と同様の効果を奏する。
【０１２２】
本発明の態様１０に係る表示装置（１０）は、当該表示装置を識別するための情報である表示装置識別情報を出力する表示装置識別情報出力部（コンテンツ要求部２２４）と、サーバが当該表示装置から取得した情報を用いた第１のサービスとは異なる第２のサービスであって、サーバが第１のサービスを提供することによって当該表示装置から取得した情報を用いる第２のサービスを利用するための接続先情報および上記表示装置識別情報が含まれたコンテンツを取得するコンテンツ取得部（２２１）と、上記コンテンツ取得部が取得したコンテンツを表示部に表示する表示制御部（２２２）と、を備える。
【０１２３】
上記の構成によれば、上記態様１と同様の効果を奏する。
【０１２４】
本発明の各態様に係るサーバは、コンピュータによって実現してもよく、この場合には、コンピュータを上記サーバが備える各部（ソフトウェア要素）として動作させることにより上記サーバをコンピュータにて実現させるサーバのプログラム、およびそれを記録したコンピュータ読み取り可能な記録媒体も、本発明の範疇に入る。
【０１２５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１２６】
本発明は、表示装置から取得した情報を利用するサービスを複数提供する場合における、ユーザの登録処理などに利用することができる。
【符号の説明】
【０１２７】
１、１ａ  コンテンツ提供システム
１０、１０ａ  サーバ
１１０  サーバ通信部
１２０  サーバ制御部
１２１  表示装置ＩＤ取得部（許諾情報取得部、表示装置識別情報取得部）
１２２  コンテンツ作成部（作成部、第２のサービス用表示装置識別情報生成部）
１２３  コンテンツ出力要求受付部（第１のサービス利用情報取得部、第２のサービス利用情報取得部）
１２４  コンテンツ出力部
２０  表示装置
２１０  表示装置通信部
２２０  表示装置制御部
２２１  コンテンツ取得部
２２２  表示制御部
２２３  操作情報取得部
２２４  コンテンツ要求部（表示装置識別情報出力部）
２２５  表示装置ＩＤ管理部
２２６  第１のサービス管理部
２３０  表示部
２４０  操作部
【図１】
2016130974.tif 000003
【図２】
2016130974.tif 000004
【図３】
2016130974.tif 000005
【図４】
2016130974.tif 000006
【図５】
2016130974.tif 000007
【図６】
2016130974.tif 000008
【図７】
2016130974.tif 000009
【図８】
2016130974.tif 000010
【図９】
2016130974.tif 000011